(57)【要約】【課題】  屋根に積もる雪の滑雪性を高めて屋根の積雪対策を施した滑雪屋根材を提供する。【解決手段】  滑雪屋根材１Ａ，１Ｂの表面に複数の略半球状の凸部３を規則的に配置する。また、 滑雪屋根材１Ａ，１Ｂは、表面に複数の略半球状の凸部３が滑雪を促進する大きさおよび間隔に形成および配置された滑雪促進凸部群４と、表面に複数の略半球状の凸部３が滑雪を阻害する大きさおよび間隔に形成および配置された滑雪阻害凸部群５とを有する。【選択図】  図２
2009235851.tif 000002
【特許請求の範囲】
【請求項１】
表面に複数の略半球状の凸部が規則的に配置されていることを特徴とする滑雪屋根材。
【請求項２】
表面に複数の略半球状の凸部が滑雪を促進する大きさおよび間隔に形成および配置された滑雪促進凸部群と、表面に複数の略半球状の凸部が滑雪を阻害する大きさおよび間隔に形成および配置された滑雪阻害凸部群とを有することを特徴とする滑雪屋根材。
【発明の詳細な説明】
【技術分野】
【０００１】
本発明は、屋根に積もる雪の滑雪効果を高めた滑雪屋根材に関するものである。
【背景技術】
【０００２】
従来、雪を落雪させて屋根の積雪を抑制するための屋根材が提案されている。
【０００３】
例えば、特開２０００−８５０５３号公報では、ポリエステル樹脂および油変性アルキッド樹脂のうちの少なくとも一方と、シリカを含むワックスとを含有する樹脂被覆層を有し、かつ、その樹脂被覆層の最大表面粗さを５〜２０μｍとする樹脂被覆金属板が提案されている（特許文献１）。この特許文献１によれば、前記樹脂被覆金属板は、シリカにより作業者が足を滑らすことを抑えることができるとともに、最大表面粗を５〜２０μｍとすることにより滑雪性をよくすることができるとされている。
【０００４】
【特許文献１】特開２０００−８５０５３号公報
【発明の開示】
【発明が解決しようとする課題】
【０００５】
しかしながら、特許文献１に記載された発明においては、樹脂被覆層の５〜２０μｍ程度の表面粗さでは土や砂、埃等により目が詰まりやすいという問題がある。また、風雪に長時間さらされると樹脂被覆層が腐食してしまうし、滑雪により摩擦で剥げ落ちてしまうという問題もある。したがって、特許文献１に記載された発明により滑雪の効果を維持するのは困難である。
【０００６】
一方、屋根からの落雪によって通行人に怪我をさせないために、従来、軒先に落雪防止板等を設けているが、設置の手間や費用が嵩むという問題があり、さらに外観上好ましくないとするユーザもいるため、改善の必要があった。
【０００７】
本発明は、このような問題点を解決するためになされたものであって、屋根に積もる雪の滑雪性を高めて屋根の積雪対策を施した滑雪屋根材を提供することを目的とする。
【課題を解決するための手段】
【０００８】
本発明に係る滑雪屋根材の第１の態様は、表面に複数の略半球状の凸部が規則的に配置されているものである。
【０００９】
また、本発明に係る滑雪屋根材の第２の態様は、表面に複数の略半球状の凸部が滑雪を促進する大きさおよび間隔に形成および配置された滑雪促進凸部群と、表面に複数の略半球状の凸部が滑雪を阻害する大きさおよび間隔に形成および配置された滑雪阻害凸部群とを有するものである。
【発明の効果】
【００１０】
本発明によれば、屋根に積もる雪の滑雪性を高めて屋根の積雪対策を効果的に図ることができる。
【発明を実施するための最良の形態】
【００１１】
以下、本発明に係る滑雪屋根材の第１実施形態について図面を用いて説明する。図１は、本第１実施形態における滑雪屋根材１Ａの平面図である。
【００１２】
本第１実施形態における滑雪屋根材１Ａは、図１に示すように、屋根基板２の表面に多数の略半球状の凸部３が形成されている。
【００１３】
屋根基板２の素材としては、特に限定するものではないが、亜鉛メッキ鋼、アルミニウム、プラスチック樹脂、瓦等のセラミックス等を用いることができる。本第１実施形態では、一般的なトタンである亜鉛メッキ鋼板を用いている。
【００１４】
複数の凸部３は、略半球状に形成されており、それぞれ屋根基板２の表面に規則的に配置されることにより滑雪促進凸部群４を構成している。第１実施形態における凸部３は、ほぼ同一の適当な大きさに統一されて形成され、かつ適当な間隔を隔てて配置されている。これにより、図２に示すように、積雪があったときに隣接する凸部３との境界部分に空気を溜める空気ポケット４１が形成されると発明者は考えている。この空気ポケット４１は、特に定まった形状のものではなく、一種の空気層のごときものと考えられる。この空気ポケット４１は、雪融け水ｗの侵入を阻害するように作用しうるが、完全に阻害するものではなく、条件次第で水を流下させる溝となりうるものである。前記空気ポケット４１により、滑雪屋根材１Ａと雪との接触面が融けて液化し、雪ｓが滑り落ちやすい状態になると考えられる。もちろん滑雪屋根材１Ａから直接的に家屋等の熱や太陽熱が伝わって雪ｓが溶ける場合もある。なお、滑雪促進凸部群４の配置構成は、図１に示すものに限らず、滑雪の効果を奏する限りにおいて任意に選択することが可能であり、例えば、図３に示すように、１つの凸部３を基準として考えた場合、その凸部３を中心として正六角形の頂点に当たる位置に他の凸部３を配置するようにしてもよい。あるいは、隣の凸部３同士が接するほどに密接させて配置してもよい。
【００１５】
また、本第１実施形態における滑雪促進凸部群４は、亜鉛メッキ鋼板をプレス加工することにより成形されるがこれに限られるものではなく、例えば、鍛造等機械加工により形成してもよいし、鋳造等の成型時に設けてもよい。さらには凸部３を別体に製造し、接着材等により屋根基板２の表面に固着させてもよい。なお、屋根基板２は板状のものに限らず、瓦のように厚みのあるものも含まれる。また、本第１実施形態では、凸部３の形状を略半球状に形成しているが、この形状に限定されるものではなく、本発明の所望の作用効果を奏するものであれば、適宜変更してよい。
【００１６】
つぎに、本第１実施形態における滑雪屋根材１Ａの作用について説明する。
【００１７】
本発明に係る滑雪屋根材１Ａは、半球状の滑落促進凸部群４によって前記屋根基板２の表面上に空気層のような空気ポケット４１が形成されると考えられる。この空気ポケット４１は、屋根を介して建物内から熱を得たり、太陽から直接的に熱を得て温められる。また、ポケット状に構成されているため、風が吹いてもその風が入りにくく、熱が奪われにくいという作用も奏する。これにより、滑雪促進凸部群４の上に積雪した雪ｓは、空気ポケット４１により温められて雪融け水ｗとなる。また、滑雪屋根材１Ａが有する熱によっても雪を融かしている。
【００１８】
一方、前記雪融け水ｗは、水の表面張力の作用により空気ポケットに入り込むことができない。そのため、滑雪促進凸部群４の空気ポケット４１の上には雪融け水ｗの層が形成されると考えられる。この雪融け水ｗの層は、単なる平面状の屋根面に比べると、滑雪促進凸部群４の凹凸面によって接触面積が小さくなっているため、雪融け水ｗや雪ｓの流下に対する抵抗力が小さい。したがって、滑雪促進凸部群４上の雪融け水ｗは屋根の傾斜に沿って流れ落ちやすい。このため、雪ｓが屋根の上に降り積もったとしても、図２に示すように、滑雪促進凸部群４と雪ｓと間に雪融け水ｗの層が形成されるため、滑雪に対する抵抗力が小さくなる。これにより、滑雪促進凸部群４の上に降り積もった雪ｓは、自重よって、あるいは軽く力を与えることによって滑落することができる。
【００１９】
以上のような本第１実施形態における滑雪屋根材１Ａよれば、以下の効果が得られる。
１．屋根基板２の凹凸面によって融雪し易くなり、しかも滑雪の効果も高めることができる。
２．雪融け水ｗを流れ落ち易くすることができる。
３．コーティング等に比べて長期的に滑雪効果を持続できる。
【００２０】
つぎに、本発明に係る滑雪屋根材の第２実施形態について図面を用いて説明する。図４は、本第２実施形態における滑雪屋根材１Ｂの平面図である。なお、本第２実施形態のうち、前述した第１実施形態の構成と同一若しくは相当する構成については同一の符号を付して再度の説明を省略する。
【００２１】
本第２実施形態における滑雪屋根材１Ｂは、図４に示すように、滑雪促進凸部群４ととともに滑雪阻害凸部群５を有している。
【００２２】
滑雪阻害凸部群５は、屋根基板２の表面に滑雪を阻害しうる凸部３を多数設けることにより構成されている。この滑雪阻害凸部群５は、滑雪をさせたくない位置に設ければよく、例えば軒先に滑雪阻害凸部群５を配置し、屋根の上方から滑雪促進凸部群４により滑落してくる雪ｓを一旦軒先に止めて落雪を防止し、軒先において融雪するようにしてもよい。
【００２３】
滑雪阻害凸部群５としては、例えば、略半球状の凸部３を滑雪促進凸部群４に比べて大きく形成することにより、図５に示すように、直接的に雪ｓと当接させて滑雪を阻害するものが挙げられる。また、図６に示すように、大きさの異なる凸部３を並べて雪融け水ｗの層を分断することで滑雪を阻害してもよい。さらに、図７に示すように、いくつかの凸部３を並べて連接することで凸状ブロックを構成し、雪融け水ｗは流下させつつ雪を軒先に止めておくような配置構成にしてもよい。
【００２４】
つぎに、本第２実施形態における滑雪屋根材１Ｂの作用について説明する。
【００２５】
本発明に係る滑雪屋根材１Ｂ上の雪ｓは、滑雪促進凸部群４と同様に前記屋根基板２の表面上の空気ポケット４１や滑雪屋根材１Ｂからの熱により温められて雪融け水ｗとなる。一方、前記雪融け水ｗは滑雪促進凸部群４の場合とは異なり、水の表面張力より重力の方が大きく働くため凸部３間に入り込み、その間を通って流れ落ちる。そのため、図５に示すように、滑雪阻害凸部群５は直接的に雪に当接する面積が大きくなる。
【００２６】
したがって、滑雪阻害凸部群５と雪ｓとの間に摩擦による抵抗力が働くため、当該雪ｓを滑落しづらくすることができる。また、滑雪促進凸部群４と滑雪阻害凸部群５とを任意に組み合わせることにより、所望する箇所に雪を集め、かつ、その箇所にとどめておくことができる。
【００２７】
以上のような本第２実施形態によれば、落雪を防止することができる。また、任意の箇所に雪をとどめておくことで、効率よく融雪を行うことができる。
【００２８】
なお、本発明に係る滑雪屋根材１Ａ，１Ｂは、前述した各実施形態に限定されるものではなく、適宜変更することができる。
【００２９】
例えば、滑雪屋根材１Ａ，１Ｂを道路標識や建物の壁に応用することも可能である。
【図面の簡単な説明】
【００３０】
【図１】本発明に係る滑雪屋根材の第１実施形態を示す平面図である。
【図２】本第１実施形態による滑雪のメカニズムを説明する模式図である。
【図３】本第１実施形態における滑雪促進凸部群の他の配置構成例を示す平面図である。
【図４】本発明に係る滑雪屋根材の第２実施形態を示す平面図である。
【図５】本第２実施形態による滑雪のメカニズムを説明する模式図である。
【図６】本第２実施形態における滑雪阻害凸部群の他の配置構成例を示す平面図である。
【図７】本第２実施形態における滑雪阻害凸部群の他の配置構成例を示す平面図である。
【符号の説明】
【００３１】
１Ａ，１Ｂ  滑雪屋根材
２  屋根基板
３  凸部
４  滑雪促進凸部群
４１  空気ポケット
５  滑雪阻害凸部群
ｓ  雪
ｗ  雪融け水
【図１】
2009235851.tif 000003
【図２】
2009235851.tif 000004
【図３】
2009235851.tif 000005
【図４】
2009235851.tif 000006
【図５】
2009235851.tif 000007
【図６】
2009235851.tif 000008
【図７】
2009235851.tif 000009